(57)【要約】【課題】使い勝手を悪化させることなく、盗難等にあった携帯機による解錠操作を防止することのできるリモコン錠システムの提供を目的とする。【解決手段】認証用ＩＤを出力する携帯機１と、  携帯機１の認証用ＩＤを認証し、認証成立時に錠装置２に駆動信号を出力する錠制御装置３とを有するリモコン錠システムであって、  前記携帯機１には、錠制御装置３における認証拒絶の累計回数を蓄積する累積回数記憶部４が設けられ、  錠制御装置３における認証成立が、携帯機１の認証拒絶累積回数が所定のしきい値以下である場合にのみ実行されるように構成する。【選択図】図１
2007132109.tif 000002
【特許請求の範囲】
【請求項１】
認証用ＩＤを出力する携帯機と、
携帯機の認証用ＩＤを認証し、認証成立時に錠装置に駆動信号を出力する錠制御装置とを有するリモコン錠システムであって、
前記携帯機には、錠制御装置における認証拒絶の累計回数を蓄積する累積回数記憶部が設けられ、
錠制御装置における認証成立が、携帯機の認証拒絶累積回数が所定のしきい値以下である場合にのみ実行されるリモコン錠システム。
【請求項２】
前記携帯機における累積回数の加算が、同一錠制御装置での複数回の認証拒絶があった場合、予め定められた所定回数の試行に対してのみ行われる請求項１記載のリモコン錠システム。
【請求項３】
前記錠制御装置は、当該錠制御装置による認証可能な携帯機に格納された認証拒絶累積回数の初期値への書き替え権限を有する請求項１または２記載のリモコン錠システム。
【請求項４】
携帯機からの認証用ＩＤを認証する認証部を有し、認証部における認証成立時に錠装置に駆動信号を出力する錠制御装置であって、
前記携帯機を使用した認証操作に際して携帯機から出力される認証拒絶累積回数が予め定められたしきい値より低い場合に認証可能信号を出力する累積回数比較部と、
認証部における認証拒絶時に前記携帯機の認証拒絶累積回数を蓄積する累積回数記憶部の記憶内容を１増加させた新値に書き換えさせる累積回数更新部とを有し、
認証部は、前記累積回数比較部における認証可能信号の出力を条件に認証を成立させるリモコン錠システム用錠制御装置。
【請求項５】
認証成立を条件に施錠装置を駆動する錠制御装置に対して認証用解錠コードを送信する携帯機であって、
前記錠制御装置における認証拒絶回数の累計を格納する累積回数記憶部を備えたリモコン錠システム用携帯機。
【発明の詳細な説明】
【技術分野】
【０００１】
本発明は、リモコン錠システムに関するものである。
【背景技術】
【０００２】
紛失した施解錠操作用の携帯機による解錠操作を防止することのできるリモコン錠システムとしては、特許文献１に記載のものが知られている。この従来例において、ＩＣカード（携帯機）には暗証コード入力部が設けられる。解錠操作は、利用者が携帯機に暗証コードを入力することにより行われる。認証装置（錠制御装置）は暗証コードと携帯機固有の認証用ＩＤが予め登録されたものか否かを判定して解錠動作を指令するために、携帯機を紛失、あるいは盗まれても、暗証番号を知られない限り当該携帯機を使用した解錠が防止される。
【特許文献１】特開平１１-１４１２０４号公報
【発明の開示】
【発明が解決しようとする課題】
【０００３】
しかし、上述した従来例において、解錠操作に際して暗証コードの入力を要するために、使い勝手が悪いという欠点がある。
【０００４】
本発明は、以上の欠点を解消すべくなされたものであって、使い勝手を悪化させることなく、盗難等にあった携帯機による解錠操作を防止することのできるリモコン錠システムの提供を目的とする。
【０００５】
また、本発明の他の目的は、上記システムに使用可能な錠制御装置、および携帯機の提供にある。
【課題を解決するための手段】
【０００６】
本発明によれば上記目的は、
認証用ＩＤを出力する携帯機１と、
携帯機１の認証用ＩＤを認証し、認証成立時に錠装置２に駆動信号を出力する錠制御装置３とを有するリモコン錠システムであって、
前記携帯機１には、錠制御装置３における認証拒絶の累計回数を蓄積する累積回数記憶部４が設けられ、
錠制御装置３における認証成立が、携帯機１の認証拒絶累積回数が所定のしきい値以下である場合にのみ実行されるリモコン錠システムを提供することにより達成される。
【０００７】
リモコン錠システムは携帯機１から出力される携帯機１固有の認証用ＩＤの錠制御装置３における認証を条件に錠装置２を施解錠操作するように構成される。携帯機１には累積回数記憶部４が設けられており、当該携帯機１から発信された認証用ＩＤが錠制御装置３において認証されなかった場合には、錠制御装置３からの指令により累積回数記憶部４に格納されている認証拒絶の累積回数を”１”だけ増加させた新値に書き替える。
【０００８】
書き替え操作は、錠制御装置３側からのインクリメント指令に基づいて携帯機１側の制御部１ａが累積回数記憶部４中の記憶値を新値に書き替えたり、あるいは錠制御装置３側の制御部３ａにおいてインクリメントして新値を書き替え指令とともに携帯機１側に出力して行うことができる。
【０００９】
したがって、例えば集合住宅等において使用されるリモコン錠システムに使用される携帯機１を拾い、あるいは盗んだ者が、当該携帯機１を使用して解錠可能な部屋を検索しようとして各戸で解錠操作を試行して認証が拒絶された場合、試行した錠制御装置３が異なっていても、試行回数が携帯機１中に累積されて記憶される。
【００１０】
一方、錠制御装置３における携帯機１に対する認証成立、すなわち、錠装置２への駆動信号の出力は上記認証拒絶累積回数が所定のしきい値以下であることを条件に行われ、所定回数以上の解錠試行が行われた携帯機１を使用した解錠操作は拒絶される。
【００１１】
認証拒絶の累積回数を認証成立の条件とするための構成は、後に実施の形態において説明するように、錠制御装置３側に設ける以外に、携帯機１側に設けることができる。この場合、例えば錠制御装置３側からＩＤ要求信号を受領した際に、携帯機１は累積回数記憶部４中の記憶値を予め携帯機１内に保持してあるしきい値と比較し、記憶値がしきい値を超えている場合には、ＩＤ要求信号に対する応答信号を出力しないように構成することができる。
【００１２】
したがってこの発明において、拾われ、あるいは盗まれた携帯機１による解錠操作を防止することができるために、防犯性能が向上する。また、施解錠操作に際しての利用者による暗証番号の入力等、追加的な操作が不要なために、利便性も低下することがない。
【００１３】
携帯機１における累積回数の加算は、錠制御装置３の種類を問わず、１回の認証試行に対して”１”だけ増加させることができるが、同一錠制御装置３での複数回の認証拒絶があった場合、予め定められた所定回数の試行に対してのみ行うことができる。すなわち、例えば、回数を”１”と設定した場合、同一の錠制御装置３に対して２回目以降の認証試行に対しては累積回数は増加されることはない。
【００１４】
この結果、他の錠制御装置３の正規利用者が過って権限を有しない錠制御装置３に対して多数回の認証試行を行っても、多数回試行を理由に正規の錠制御装置３に対するアクセスが不能になることがないために、使い勝手が向上する。
【発明の効果】
【００１５】
本発明によれば、使い勝手を悪化させることなく、盗難等にあった携帯機による解錠操作を防止することができる。
【発明を実施するための最良の形態】
【００１６】
図１に本発明の実施の形態を示す。この実施の形態におけるリモコン錠システムは、集合住宅の各戸に設置される電気錠（錠装置２）を制御するための複数の錠制御装置３と、各錠制御装置３に対応して設定される施解錠操作用の携帯機１と、携帯機１を認証可能なものとして錠制御装置３に新規登録するための登録カード（図示せず）とを使用して運用される。
【００１７】
後に詳述するように、携帯機１および登録カードは錠制御装置３からのＩＤ要求信号に対し、携帯機１、あるいは登録カード固有の認証用ＩＤと機種種別コードを含む応答信号を出力する。
【００１８】
錠制御装置３は、携帯機１、あるいは登録カードとの交信を行うために、制御部３ａの制御下で動作する送受信部３ｂを備える。送受信部３ｂは、リクエストスイッチ８の押下により上記携帯機１等に対してＩＤ要求信号を出力し、さらに、これに対する携帯機１等からの応答信号を受信する。
【００１９】
この錠制御装置３は、通常の施解錠操作を行う運用モードと、携帯機１の登録等を行うための登録モードの２種類の動作モードを有しており、制御部３ａに接続されるモードチェンジ部９は、認証が完了した携帯機１等からの応答信号に含まれる機種種別コードが登録カードに振り当てられたものである場合には、登録モードへの切替信号をバスライン３ｃに出力する。これに対し、応答信号に含まれる機種種別コードが携帯機１を示す場合には、運用モードへの切替信号をバスライン３ｃに出力し、以後、錠制御装置３は、運用モードにより動作する。
【００２０】
運用モードにおける施解錠操作を制御するために、錠制御部１０、錠監視部１１が制御部３ａに接続され、錠制御部１０により生成される錠ドライブ信号により錠装置２を施錠側、あるいは解錠側に駆動して扉の施解錠がなされる。錠監視部１１は、制御部３ａからの問い合わせに対し、錠装置２の施解錠状態、および室内側から錠装置２を直接操作するためのサムターンの操作状態を示す応答信号を生成し、バスライン３ｃに出力する。
【００２１】
上記錠制御装置３に対する錠ドライブ信号の出力有無を決定するために、認証部５と累積回数比較部６とが制御部３ａ配下に接続される。これら認証部５と累積回数比較部６とは、上記携帯機１からの応答信号に含まれる認証用ＩＤ、および累積回数情報が所定の条件を充たすか否かを判定する。認証部５における認証は、応答信号内の認証用ＩＤが、登録モードのときに登録機格納部１２に登録された認証用ＩＤと一致するか否かを判定することにより行われ、累積回数比較部６と認証部５双方での条件合致を条件に制御部３ａは上記錠制御部１０に錠ドライブ信号をセットして錠装置２を駆動する。
【００２２】
登録機格納部１２への登録は登録モードにおいて行われ、具体的には、登録モード継続中に錠制御装置３からのＩＤ要求信号に対して応答した携帯機１の認証用ＩＤを認証可能携帯機１として登録する。
【００２３】
認証条件として使用される携帯機１側の累積回数情報を更新するために、累積回数更新部７が接続される。累積回数更新部７は、認証要求履歴格納部１３を有しており、認証部５での認証が拒絶された場合には、応答信号中の累積回数情報を”１”増加させて、バスライン３ｃに出力し、さらに、応答信号中の認証用ＩＤを認証要求履歴格納部１３に格納する。
【００２４】
これに対し、認証部５における携帯機１の認証が成立した場合、累積回数更新部７は、累積回数情報として初期値”０”をバスライン３ｃに出力する。また、累積回数更新部７は、登録モードにおいては、常に累積回数情報として初期値”０”とする信号をバスライン３ｃに出力する。
【００２５】
累積回数更新部７からの累積回数情報を受領した制御部３ａは送受信部３ｂに必要なデータをセットし、携帯機１側に出力する。送信データには、対象の携帯機１を特定するための認証用ＩＤと、更新命令と、累積回数情報が含まれる。
【００２６】
なお、上記制御部３ａ、認証部５、錠制御部１０、送受信部３ｂ、累積回数更新部７等、および後述する携帯機１中の各構成要素は、所定のプログラムにより動作するＣＰＵにより制御されるマイコンセット中のメモリ空間内に構成することが可能である。
【００２７】
これに対し、携帯機１は制御部１ａの制御下にＩＤ格納部１４、累積回数記憶部４、および送受信部１ｂを接続して形成される。ＩＤ格納部１４には、携帯機１固有の認証用ＩＤが格納され、累積回数記憶部４には、錠制御装置３において認証を拒絶された累積回数が格納される。送受信部１ｂが上記錠制御装置３から出力されるＩＤ要求信号を受信すると、制御部１ａは上記ＩＤ要求信号が自機対応のものか否かを判定した後、対応機種と判定した場合には、ＩＤ格納部１４中の認証用ＩＤと、累積回数記憶部４内の累積回数を含む応答信号をセットし、送受信部１ｂ、アンテナを経由して錠制御装置３に出力する。
【００２８】
また、制御部１ａは、上記錠制御装置３から更新命令を受信した際には、累積回数記憶部４の記憶内容を更新命令とともに送信された累積回数に書き替える。
【００２９】
なお、登録カードは、ほぼ、上記携帯器１から累積回数記憶部４を取り除いた構造を有するために説明を省略する。
【００３０】
以上のように構成されるリモコン錠システムの動作フローを図２、３に示す。施解錠操作に際して、まず、錠制御装置３のリクエストスイッチ８を押下する（ステップＳ１）と、錠制御装置３の制御部３ａはＩＤ要求信号を送受信部３ｂにセットし、アンテナから出力する。同時に、錠監視部１１の出力から錠状態を判別し（ステップＳ２）、施解錠状態を利用者に知らせる（ステップＳ３）。錠状態を表示するために、錠制御装置３には例えばＬＥＤ等の表示手段（図示せず）が配置される。
【００３１】
表示手段による錠状態を表示しながら、制御部３ａは送受信部３ｂを監視して携帯機１からの応答信号の受信を待ち（ステップＳ４）、応答信号が検出されない場合には、錠監視部１１の状態からサムターンでの状態変化を検知し（ステップＳ４-１）、状態変化が所定時間ない場合（ステップＳ４-２）、制御を終了する。
【００３２】
一方、ステップＳ４で応答信号を確認した場合、表示手段における表示を停止させた後（ステップＳ５）、応答信号内の機種種別コードから応答信号が登録カードからのものであるか（ステップＳ６）、携帯機１からのものであるかを識別する（ステップＳ７）。ステップＳ６、７で応答信号が携帯機１からのものと判定された場合、応答信号中の認証用ＩＤの認証を行う（ステップＳ８）。
【００３３】
ステップＳ８において認証部５での認証が成立すると、応答信号中の累積回数情報を予め定められたしきい値と比較し（ステップＳ９）、しきい値以下である場合には、錠制御装置３の制御部３ａは認証用ＩＤと、初期値”０”の累積回数情報を更新命令とともにセットして携帯機１に出力する。この更新命令を受けた携帯機１は、累積回数記憶部４の記憶内容を指示された累積回数情報、すなわち”０”に書き替える（ステップＳ１０）。
【００３４】
さらに、ステップＳ９で累積回数が所定のしきい値以下であると判定されると、制御部３ａは錠監視部１１に錠装置２の状態を問い合わせ（ステップＳ１１）、施錠状態の場合には解錠操作を、解錠状態の場合には施錠操作を行い（ステップＳ１２）、制御が終了する。
【００３５】
一方、ステップＳ８で携帯機１の認証が拒絶された場合には、応答信号中の認証用ＩＤを認証要求履歴格納部１３内で検索する（ステップＳ８-１）。認証要求履歴格納部１３内に当該携帯機１の認証用ＩＤが存在しない場合には、新たに認証要求履歴格納部１３に認証用ＩＤを格納する（ステップＳ８-２）。この後、応答信号中の累積回数情報を”１”増加させた新値で携帯機１の累積回数記憶部４を書き替え（ステップＳ８-３）、さらに、認証用ＩＤが相違していることを利用者に音で知らせた後（ステップＳ８-４）、制御を終了する。
【００３６】
これに対し、ステップＳ８-１で認証用ＩＤが検索された場合には、ステップＳ８-２、Ｓ８-３をスキップしてＳ８-４が実行される。
【００３７】
また、ステップＳ６で機種種別コードが登録カードのものであるとされた場合には、登録カードの認証用ＩＤに対する認証が行われ（ステップＲ１）、認証が拒絶された場合には制御が終了する。
【００３８】
ステップＲ１において認証部５での認証が成立すると、登録モードに移行したことを利用者に知らせ、さらに、登録対象の携帯機１を錠制御装置３との交信可能な範囲に用意することを促す（ステップＲ２）。制御部１ａ３ａはこの後、所定時間携帯機１からの応答信号を待ち受け（ステップＲ３）、応答信号がない場合（ステップＲ３-１）は制御を終了する。
【００３９】
ステップＲ３で応答信号を受信すると、応答信号中の認証用ＩＤが登録済みか否かを登録機格納部１２を検索して判定し（ステップＲ４）、未登録携帯機１の場合には、当該携帯機１の認証用ＩＤを登録機格納部１２に格納して認証可能携帯機１として登録する（ステップＲ４-１）。
【００４０】
これに対し、ステップＲ４で携帯機１が登録済みとされた場合には、当該携帯機１の累積回数記憶部４内の累積回数を初期値”０”に初期化する（ステップＲ５）。この後、操作終了を利用者に音で知らせた後（ステップＲ６）、制御を終了する。
【図面の簡単な説明】
【００４１】
【図１】本発明を示す機能ブロック図である。
【図２】本発明の動作を示すフローチャートである。
【図３】登録モードにおけるフローチャートである。
【符号の説明】
【００４２】
１        携帯機
２        錠装置
３        錠制御装置
４        累積回数記憶部
５        認証部
６        累積回数比較部
７        累積回数更新部
【図１】
2007132109.tif 000003
【図２】
2007132109.tif 000004
【図３】
2007132109.tif 000005